(57)【要約】【課題】山羊を用いて管理予定地の刈込みを行う方法を提供する。【解決手段】管理予定地Ａを事前調査して、少なくとも前記管理予定地の地形、面積および出現植物の種類をその群生状態を把握する工程１、管理予定地の内部に山羊５の拘束移動装置を設置する工程２、拘束移動装置に、山羊５を拘束しながら管理予定地Ａの内部に放牧して出現速物を採食させる工程３、ならびに山羊による採食終了後、少なくとも採食した面積と出現植物の地際からの高さを計測する工程４、を備えている山羊を用いた緑化造成地および遊休地の刈込み管理方法。【選択図】図１
2008086270.tif 000002
【特許請求の範囲】
【請求項１】
管理予定地を事前調査して、少なくとも前記管理予定地の地形、面積および出現植物の種類とその群生状態を把握する工程１；
前記管理予定地の内部に、山羊の拘束移動装置を設置する工程２；
前記拘束移動装置に山羊を拘束しながら前記管理予定地の内部に放牧して、前記出現植物を採食させる工程３;
ならびに
山羊による採食終了後、少なくとも採食した面積と出現植物の地際からの高さを計測する工程４；
を備えていることを特徴とする、山羊を用いた緑化造成地および遊休地の刈込み管理法。
【請求項２】
前記山羊の拘束移動装置が、ワイヤを張設して前記管理予定地の内部に設置された閉回路の山羊ガイドラインと、
前記ワイヤに滑動自在に取付けられたリング体と、
一端が前記リング体に固定され、他端が山羊に装着する首輪に固定されたロープとを備えている、請求項１の山羊を用いた緑化造成地および遊休地の刈込み管理法。
【請求項３】
前記山羊の拘束移動装置における前記ロープの長さは、前記山羊が前記管理予定地の外部に出ない長さである請求項２の山羊を用いた緑化造成地および遊休地の刈込み管理法。
【請求項４】
前記山羊の拘束移動装置における前記ワイヤは、樹脂被覆された鋼線ワイヤである請求項２の山羊を用いた緑化造成地および遊休地の刈込み管理法。
【請求項５】
前記山羊の拘束移動装置における前記山羊ガイドラインの角部または湾曲部には、地中に打ち込むアンカーピンと、前記アンカーピンにおける前記ワイヤとの接触箇所に配設されたベアリング構造と、前記接触箇所を片側から被包し、反対側に前記ワイヤの装着用間隙を有する樹脂カバーとから成るワイヤガイド手段が配置されている請求項２〜４のいずれかの山羊を用いた緑化造成地および遊休地の刈込み管理法。
【請求項６】
前記山羊の拘束移動装置における前記山羊ガイドラインの一部には、そこを跨いで、撤去可能な少なくとも一個の小屋が設置されている請求項２〜５のいずれかの山羊を用いた緑化造成地および遊休地の刈込み管理法。
【請求項７】
前記山羊の拘束移動装置が、前記管理予定地の内部に打ち込まれた杭と、前記杭に周回自在に嵌合されたリング体と、一端が前記リング体に固定され、他端が山羊に装着する首輪に固定されたロープとを備えている、請求項１の山羊を用いた緑化造成地および遊休地の刈込み管理法。
【請求項８】
前記ロープの長さが、前記杭を中心にして前記山羊が前記管理予定地の外部に出ない長さである請求項７の山羊を用いた緑化造成地および遊休地の刈込み管理法。
【発明の詳細な説明】
【技術分野】
【０００１】
本発明は山羊を用いた緑化造成地および遊休地などの管理予定地の刈込み管理法に関し、更に詳しくは、山羊の採食特性を有効に利用することにより、人力による過酷な草刈り作業からの解放を可能とし、また刈り草の運搬除去作業も基本的には不要となり、更には管理予定地に混生する外来種を駆逐して植生の在来種への転換を促進することができるので生態系の確保にも資する山羊を用いた緑化造成地および遊休地の刈込み管理法に関する。
【背景技術】
【０００２】
日本各地には多くの緑化造成地が公共の設備として建設されている。その代表例は河川堤防であり、道路の緑地帯、各種の公園や学校の校庭などである。また、工場緑地やゴルフ場などの私的な緑化造成地もある。更には、有効利用を求めて待機している遊休地が全国に散在している。
これらの緑化造成地や遊休地のうち、例えば河川堤防は工事費の低廉化、修復の容易さ、嵩上げ拡幅の容易さなどの理由で土堤であることを原則としているが、雨水や洪水による堤防強度の低下を防ぐために、通常、堤防の法面や河川敷には均等に根を張る芝類が植設されている。
【０００３】
これら緑化造成地や遊休地の植生の種類は様々であるが、例えば河川堤防や道路の緑地帯の植生の多くは、通常牧草などを主とした海外からの外来種であった。また、日本の在来種が使用されている場合もあるが、その場合であっても、他の地方から導入した移入種が使用されてきた。これは、外来種や移入種の方が、造成地が位置する地域に生育する在来種に比べて育成が早く、造成地の早期緑化にとって有効であったからである。
【０００４】
また遊休地の場合、通常、野放し状態にされているため、そこには多種の植物が植生しているが、その多くは外来種を主とした雑草である。
しかしながら最近では、これら外来種や移入種によって地域における生態系の撹乱が危惧されるようになり、いくつかの外来種(侵略的外来種と呼ばれる)の使用は禁止されるようになっている。例えば、トールフェスク、ウィーピングラブグラスなどの牧草類と、飼料作物の種苗にまざって成立したセイタカアワダチソウやブタクサなどの外来種は喘息を引き起こす要因であるとされてその導入が排除されている。
【０００５】
また、例えば河川堤防の法面に対しては、在来種の芝であるノシバや高麗芝の張芝施工や播種の施工が行なわれている。
しかしながらその場合、様々な雑草の背丈の方が芝類よりも高くなるので、芝類が雑草で覆われることにより日照不足が起こり、雑草を防除しない限り、芝類は充分な光合成を行なえずに芝類が衰退または消滅することが多い。
【０００６】
このようなことから、これら緑化造成地や遊休地の場合、定期的に植生の刈込みを行なって、植生の状態を適正に維持管理することが必要になってくる。
例えば河川堤防の場合、堤防の陥没、法崩れや洗掘、漏水の早期発見や漏水箇所になるところにあるモグラ穴などの早期発見、護岸クラックなどの発見のために、また病害虫の発生・繁殖の防止、野火発生の防止、ゴミなどの不法投棄を予防するために、更には地域住民の快適なリクレーションの場の確保のために、定期的な植生の除草作業が行なわれている。この除草作業は概ね次のようにして行なわれている。
【０００７】
１つの方法は、作業者が肩掛け式除草機を使用して、除草対象地を歩きながら、人力で刈込んでいく方法である。
この方法によれば、作業者が例えば土地の起伏に適切に対応して植生を刈りそろえるというような繊細な除草作業をすることも可能であり、そのため、例えば、個人宅の庭園、公園の緑地、道路の緑地帯の一部、道路法面や路肩の一部など、比較的小面積の造成地の除草作業で広く実施されている。
【０００８】
しかしながら、河川堤防の法面や河川敷のような広大な面積の除草対象地で行なう場合、重い除草機を肩掛けした作業者の運動量は多くなり、これはかなり過酷な作業となる。
また、作業時期が雑草の結実期前となる梅雨期で、例えば湿った河川堤防の法面などで作業を行なう場合には、安全器具などを装着し、転倒事故や落下事故を起こさないように配慮して慎重に作業を進めなければならない。
【０００９】
また、道路の緑地造成された中央分離帯などで作業を行なう場合には、分離帯の両脇を走行する自動車と接触しないように作業を進めることが必要である。
他の方法は、大型で自走式の草刈専用車を使用して刈込んでいく方法である。
この方法は、例えば河川堤防の法面や河川敷、空港滑走路脇の緑地帯、公園の緑地・遊休地などの広大な面積の造成地に適用して有効であり、実施が試行され始めている。
【００１０】
しかしながら、この方法の場合、除草対象地が平坦であればその効力は充分に発揮されるが、例えば除草対象地にこきざみな起伏や転石、石の散乱がある場合には、植生の刈込み高さに不ぞろいが生じ、刈込み後、地際からの高さにばらつきが生じやすい。また、地盤が剥奪されることにより裸地が発生することもある。
更に、この方法の場合、除草作業を開始する前段において、草刈専用車の刈刃が損傷することを防ぐために、除草対象地内の石やごみなどを人力で除去することが必要である。
【００１１】
また、この方法の場合、草刈専用車それ自体が大型であるため、比較的小面積の管理予定地の除草作業に対しては過剰スペックとなり、対象の管理予定地に草刈専用車を搬入するために必要な進入路を別途建設する作業のことも考慮すると、必ずしも有効な方法とはいいがたい。
なお、河川堤防の法面や河川敷の除草に関しては、山羊を用いて除草する装置が提案されている（特許文献１を参照）。
【００１２】
ここで開示されている除草装置は、河川の流れ方向に親ロープを張設し、そこに一対のワイヤークリップを固定して取り付け、この一対のワイヤークリップ間の親ロープの箇所にこの親ロープに貫通させた移動可能なリングを取り付け、このリングに山羊を繋いだ子ロープを取り付けた構造になっている。山羊は、ワイヤークリップと子ロープによって親ロープに対する移動が規制された状態で植生を採食する。
【特許文献１】特開２００５−１２４４０５号公報
【発明の開示】
【発明が解決しようとする課題】
【００１３】
上記した肩掛け式除草機や草刈専用車を用いた従来の除草作業の方法は、いずれも、回転する刈刃で除草する。したがって、危険防止のために、作業中は刈刃の回転する方向に作業者などは立ち入らないことが必要であり、また刈刃の取替えなどのメンテナンス作業を行なう場合は、機械を一旦停止させることが必要である。総じて、これらの方法には安全性の確保という点で一抹の不安がある。
【００１４】
また、これらの除草方法では、大量の刈り草が当該作業地に必ず残る。そして、最近、野焼きが禁止されつつある。そのため、刈り草は作業者が集積し、それを所定の焼却施設に運搬して処分することが必要になる。また、最近では堆肥化施設で刈り草から堆肥を製造することも行なわれている。このように、従来の除草方法では、刈り草の集積作業と運搬作業が新たに発生し、更には、焼却処理に伴ってダイオキシンなどの有害物質の発生も予想される。
【００１５】
また、従来の除草作業では、いずれも、作業中に大きな騒音が発生し、そして土煙や粉塵もあがるため、生活環境保護の観点から、例えば住宅地が隣接する緑地造成地や遊休地などで実施することはできない。
また、刈刃で刈込んだ雑草や樹木株は、地際から刈込むことが困難で、地面から数ｃｍの高さで残ることがあり、そのため、刈込み後の緑化造成地や遊休地が一見して例えば芝生状態になっていたとしても、そこには地際からある高さを持つ樹木株の残査などが混在していることもあり、住民の歩行などに障害となることがある。
【００１６】
特許文献１に開示されている先行技術の場合、山羊を利用しているので、肩掛け式除草機や草刈専用車を用いたときのような問題は起こらないと考えられる。
しかしながら、先行技術の場合、山羊は一対のワイヤークリップの間隔と子ロープの長さによって定まるかなり広い河川敷部分を自由に移動しながら採食することになるので、例えば草の食べ残しなどが起こり得る。
【００１７】
これは、除草対象地の植生を管理する立場からすると好ましいことではないといえる。
本発明は、従来の緑地造成地や遊休地の機械刈込み作業における上記した問題を解決して、刈込み時の安全性は確保され、刈り草の集積・運搬作業は不要であり、騒音も発生せず、また、狭い緑化造成地でも簡単に実施することができ、地面の起伏とは無関係に刈込んだ雑草などの地際からの高さも略一定になっており、また、特許文献１の先行技術との関係では、後述する山羊の拘束移動装置によって山羊の拘束度を高めて、確実に管理予定地で採食させることができる、山羊を用いた緑化造成地および遊休地の刈込み管理法の提供を目的とする。
【００１８】
また本発明は、緑化造成地や遊休地が例えば背丈の高い灌木類などが混成する芝類や野草の草地であった場合、その緑化造成地や遊休地を芝類または背丈の低い野草を主体とした芝型草地に転換することができる、山羊を用いた緑化造成地および遊休地の刈込み管理法の提供を目的とする。
【課題を解決するための手段】
【００１９】
上記した目的を達成するために、本発明においては、管理予定地を事前調査して、少なくとも前記管理予定地の地形、面積および出現植物の種類とその群生状態を把握する工程１；
前記管理予定地の内部に山羊の拘束移動装置を設置する工程２；
前記拘束移動装置に、山羊を拘束しながら前記管理予定地の内部に放牧して前記出現植物を採食させる工程３；
ならび、
山羊による採食終了後、少なくとも採食した面積と出現植物の地際からの高さを計測する工程４；  
を備えていることを特徴とする、山羊を用いた緑化造成地および遊休地の刈込み管理法が提供される。
【００２０】
その場合、前記山羊の拘束移動装置は、ワイヤを張設して前記管理予定地の内部に設置された閉回路の山羊ガイドラインと、
前記ワイヤに滑動自在に取付けられたリング体と、
一端が前記リング体に固定され、他端が山羊に装着する首輪に固定されたロープとを備えていることを好適とする。
【００２１】
そして、上記装置において、前記ワイヤは、樹脂被覆された鋼線ワイヤであり、前記山羊ガイドラインの角部または湾曲部には、地中に打込むアンカーピンと、前記アンカーピンにおける前記ワイヤとの接触箇所に配設されたベアリング構造と、前記接触箇所を片側から被包し、反対側に前記ワイヤの装着用間隙を有する樹脂カバーとから成るワイヤガイド手段が配置されていることを好適とする。
【００２２】
また、本発明で用いる前記山羊の拘束移動装置が、前記管理予定地の内部に打ち込まれた杭と、前記杭に周回自在に嵌合されたリング体と、一端が前記リング体に固定され、他端が山羊に装着する首輪に固定されたロープとを備えている装置である、山羊を用いた緑化造成地および遊休地の刈込み管理法が提供される。
【発明の効果】
【００２３】
本発明方法では、ある面積の管理予定地内に設置され、閉回路になっている山羊ガイドラインを有する後述の山羊の拘束移動装置に山羊を所定長さのロープで繋いで当該装置に拘束し、そして山羊を山羊ガイドラインに沿って循環移動させながら、その山羊ガイドラインから採食可能な箇所に群生する植生を山羊に採食させることにより、管理予定地内の植生を刈込む。
【００２４】
山羊は上の歯が退化した独特の歯の構造と上顎に特異な舌状組織を有する独特の顎の構造をもっているので、採食後に残された植生の刈株の細胞は損傷されずに再生可能な状態にあり、また地際からの高さは最低でも３ｃｍと一定の値を維持している。
そのため、その管理予定地が地表に複雑な起伏がある地形の場合であっても、採食後における管理予定地の植生は、その地際からの高さが略一定で、かつ再生可能な状態になっている。
【００２５】
また、山羊は、ススキ株、棘のある植物、木質の植物、灌木類などの比較的粗剛な植物繊維をもつ植物の方を、軟らかい繊維をもつ野草類や芝類よりも好んで採食する。
そのため、採食後における管理予定地には、傾向的に、野草類や芝類が残留しやすい状態になる。
このようなことから、本発明方法を季節をおいて複数回施すことにより、管理予定地を芝生型の草地に変化させることができる。
【００２６】
そして、山羊は人が歩行しづらい場所であっても歩行が可能であり、また平坦地よりも斜面の方が適用能力がある。例えば勾配が４５°以上の急斜面であっても、歩行しながら採食することができる。しかも体重や体の大きさは人と略同じである。
そのため、例えば堤防を不安定にさせることなく河川堤防の法面の刈込み管理を行なうことができ、また人が危険を感じる個所（例えば道路の緑地帯）や狭い場所であっても刈込み（採食）作業を実施することができる。
【００２７】
また、山羊の糞尿は悪臭を発生せず、管理予定地の採食時に山羊がした排便は、流亡せずにそのまま刈り残った植生の肥料になる。
更に、山羊の歩行は、前足が踏んだ位置に後足を着地するという特徴をもっている。そのため、管理予定地の植生がほふく茎や種子を伴っている場合には、採食の過程でこれらが土壌とともに転圧され、土壌の湿潤状態や気象条件によっては、植物の活着も可能となる。
【００２８】
また、山羊が時々発する鳴き声は騒音とはいえず、そのため、従来の除草作業時のような騒音も発生せず、しかも粉塵、土煙も発生しないので、管理予定地が住宅地に隣接していても実施することができる。
そして採食された植生は従来の刈込み作業時のように管理予定地に刈り草として残ることはない。したがって、従来の刈込み管理時のように刈り草の焼却などの廃棄処理を行なう必要もなく、それに伴って刈り草の集積作業や運搬作業もなくなる。
【００２９】
しかも、本発明では後述する山羊の拘束移動装置を用いているので、山羊はこの装置の山羊ガイドラインに沿って循環移動することができ、その過程で、管理予定地の植生を確実に採食することができる。
【発明を実施するための最良の形態】
【００３０】
本発明方法は、次の工程１〜工程４を経て実施される。
工程１：この工程は刈込み管理を行なう管理予定地を事前に調査する工程である。
まず、指定された管理予定地を実地見分する。調査項目としては、少なくとも管理予定地の地形、面積と、そこに植生している出現植物の種類とその群生状態である。また、芝類の導入要否も調査項目としてあげられる。
【００３１】
例えば、地形に関しては、勾配や凹凸度（山羊の歩行限界を判定するため）、方位（日陰度と植物生産を調べて採取量の判定と採食回数の目安を判定するため）、採食回数を判定するために、地形が屋根形状か台形状などを調べる、などを実地見分する。
また、出現植物の中にアセビ、トウゴマ、ツツジ類、キンポウゲ、キョウチクトウ、ミツマタ、ドクウツギ、ドクゼリ、ナンテン、シキミ、ヒナゲシ、ジャガイモの芽、エニシダ、トリカブト、シャクナゲのような山羊にとって有毒な植物が混在していたら、これらを事前に除去する手はずをとる。実際問題としては、山羊自身がこれらを採食しないのであるが、対象が乾草である場合にこのような処置が採られる。
【００３２】
また、造園木や刈込んではいけない植物が混在していれば、それらの周囲を金網やフェンスで包囲して山羊が近づけないような処置を施す。
そして事前調査の結果に基づいて、採食量の算定、刈込みの必要日数、用意する山羊の頭数などが算出される。
ここで、山羊としては、日本ザーネン種やトカラ種が用いられるが、成熟したこれら山羊の採食量は一般的にいって、１日１頭当り生草で１０ｋｇである。ススキ草原の例でいえば、草丈が１．０ｍで群生密度が１００〜３００本／ｍ２であれば、この採食量は１０〜２０ｍ２程度の面積に相当する。また２〜１０株程で草丈が１．０ｍ以下で同じような群生密度であれば、この採食量は４０〜１００ｍ２程度の面積に相当する。
【００３３】
例えばこの数値を目安にして、指定され、実地見分した管理予定地を完全に刈込むために必要な山羊の頭数と作業日数（採食日数）を算出する。
なお、管理予定地が、例えば芝類の増殖導入が必要であると判断された場合には、播種袋に種子と肥料を入れ、それを山羊の背中に配置して採食時に同時に播種も行えるような手配をとる。
【００３４】
工程２：この工程は管理予定地に山羊の拘束移動装置を設定する工程である。
管理予定地が河川堤防である場合について、用いる拘束移動装置の１例を図面に基づいて説明する。
図１は管理予定地の平面図であり、図２はその管理予定地を含む河川堤防の断面図である。
【００３５】
図で示したように、管理予定地Ａは、河川の高水敷、表法面、天端道路および裏法面から成り、表法面と裏法面の間に天端道路が横切っている。そして、高水敷と表法面と裏法面には出現植物が植生していて、これらの場所が刈込み管理の対象領域になっている。
管理予定地Ａに設置される山羊の拘束移動装置は、管理予定地Ａの内部にワイヤを張設して形成された閉回路の山羊ガイドライン１と、この山羊ガイドライン１のワイヤに滑動自在に取付られたリング体２と、一端がこのリング体２に固定され、他端は山羊５の首輪４に固定されているロープ３とで構成されている。そして、この首輪４が山羊５に装着されている。
【００３６】
ここで、ワイヤとしては、強度があってかつ表面が滑らかであるという点で、例えば塩化ビニル樹脂で被覆された鋼線ワイヤが好適であり、またリング体としては、例えばカラビナ風のフックなどが好適である。
このようにして、山羊５はロープ３に拘束された状態で、矢印ｐで示したように、閉回路の山羊ガイドライン１に沿って管理予定地Ａ内を循環移動することができるようになっている。
【００３７】
そして、山羊５は、山羊ガイドライン１の任意の位置で、図１で示したように、リング体２を中心にして半径がロープ３の長さに相当する円領域Ａ１内の植生を採食することができる。
ここで、この山羊ガイドライン１は次のようにして敷設される。例えば、図１の裏法面においては、ワイヤ１ａを裏法面の幅方向（−Ｙ方向）に沿って直線的に張設していき、裏法面と図の下方で隣接する土地との境界付近で−Ｘ方向に方向転換し更にＹ方向に方向転換してＵターンさせ、既に張設が終了したワイヤ１ａと平行に裏法面のＹ方向に張設し、裏法面と図の上方で隣接する土地との境界付近で−Ｘ方向に方向転換して天端道路を横切って表法面の方に張設する。
【００３８】
表法面と高水敷でも同様の張設作業を順次行い、高水敷内に張設されたワイヤ１ａは、高水敷と図の上方で隣接する土地との境界付近でＸ方向に方向転換して、最終的には裏法面の出発点に帰還する。このようにして、全体として閉回路の山羊ガイドライン１が敷設される。
なお、ワイヤ１ａはできるだけ地表に接近して張設されることが好ましい。山羊が植生を採食しやすくなるからである。
【００３９】
この山羊ガイドライン１の敷設時に留意すべきことは、裏法面、表法面、高水敷の各領域のいずれにおいても、そこに敷設されている山羊ガイドラインに沿って移動する山羊５が、隣接する土地の植生を採食することなく、各領域内の植生のみを全て採食できるように山羊ガイドラインを敷設することである。
例えば、裏法面の端部と張設したワイヤとの距離Ｌが山羊５を拘束するロープの長さよりも長い場合は、採食残しが起こる。逆に距離Ｌがロープの長さに比べて短い場合には、管理予定地Ａの外部の植生まで採食してしまう。
【００４０】
このようなことから、採食対象の各領域の端部と張設したワイヤとの距離（Ｌ）は用いるロープ３の長さとの関係で適宜調整すると同時に、ワイヤ張設の平面的なパターンの態様も変化させることが求められる。
なお、この山羊ガイドライン１の敷設において、ガイドラインが方向転換する角部（図１のガイドラインでは１２箇所）や湾曲部には、図３で示したようなワイヤガイド手段６を設置することが好ましい。
【００４１】
このワイヤガイド手段６は、地中に打ち込むアンカーピン６ａと、このアンカーピン６ａの上部に配設されたベアリング構造６ｂと、１枚の樹脂板から成り、ベアリング構造６ｂが配設された箇所を片側（ガイドラインの内側）から被包し、反対側の外側にはワイヤ１ａの装着用間隙６ｄを有し、アンカーピン６ａを中心にして略直角に曲げられている樹脂カバー６ｃで構成されている。
【００４２】
このワイヤガイド手段６は、山羊ガイドライン１の敷設時に、そのアンカーピン６ａをガイドラインの角部になる箇所に打ち込み、樹脂カバー６ｃの外側の間隙６ｄからワイヤ１ａを樹脂カバー内に入れて、ワイヤ１ａをベアリング構造６ｂと接触するように装着する。
山羊がロープで拘束されながら山羊ガイドラインに沿って移動してきて、角部にくると、そこでワイヤ１ａに取り付けられているリング体がこのワイヤガイド手段６の樹脂カバー６ｃ内に導入され、ベアリング構造６ｂに当接する。
【００４３】
そして、山羊が更に進むと、その力でベアリング構造６ｃが回転するので、リング体はこのベアリング構造を容易に通過し、山羊は方向転換して移動していくことができる。
なお、ワイヤガイド手段６における樹脂カバー６ｃの曲げ角度を適当な鈍角にしておけば、そのワイヤガイド手段は山羊ガイドラインのゆるやかな湾曲部に配置することにより、ワイヤ１ａのたるみを防ぐために用いることができる。
【００４４】
図４は山羊の拘束移動装置の別の例を示す。
この装置では、山羊ガイドライン１の閉回路における任意の場所に、迅速に撤去することができる例えばユニットハウスのような小屋７を山羊ガイドライン１を跨いだ状態で配置した装置であって、この小屋７の下部に山羊ガイドライン１を通過させている。
小屋７の中に例えば貯水槽や岩塩を配置することにより、この小屋７を山羊の一時的な休息場所として機能させることができる。
【００４５】
図５は、山羊の拘束移動装置の更に別の例を示す。
この装置は、管理予定地の植生の高さが１ｍ以下である場合に用いられる。
この装置は１頭の山羊に刈込ませる領域の中心に打ち込まれた杭８と、この杭８に外嵌されて杭を周回できるリング体２と、一端がリング体２に固定され、他端が山羊５の首輪４に固定されたロープ３で構成されている。このとき、ロープ３の長さは、山羊５が管理予定地の外では採食できないような長さに設定する。
【００４６】
この装置では、山羊５はロープ３で拘束された状態で、杭８を中心とする円領域Ａ２の中の植生を自由に採食することができる。
また、図１の裏法面の領域で例示したように、刈込み予定地におけるＸ−Ｙ方向の任意の場所に複数本の杭を打ち込んでおき、各杭を使った採食が終了したら順次山羊を移動させて、刈込み作業を行ってもよい。
【００４７】
工程３：この工程は山羊に採食させる工程である。
工程１の事前調査から管理予定地の刈込みに必要な山羊の頭数、刈込みの必要日数、山羊の拘束移動装置の形態などが計画され、そして、工程２では、その計画に基づいて所定の山羊の拘束移動装置が既に設置されている。
工程３では、別場所にある山羊の畜舎から山羊を管理予定地に搬送し、山羊に確実に首輪をはめ、ロープを繋ぎ、山羊ガイドライン１に山羊を拘束して放牧する。播種する場合は、種子と肥料の入った播種袋を山羊の背中に配置する。山羊はガイドラインに沿って移動しながら管理予定地内の植生を順次採食する。
【００４８】
刈込み作業は早朝から可能であるが、社会生活の妨げにならないように全体の時間管理には注意する。
また、天端道路で山羊が排便した場合には、ただちにそれを回収し、刈込み済みの場所、他の緑地、造園などに施用する。
１日の刈込み作業が終了したら、ただちに山羊を集めて畜舎に搬送し、休息をとらせ、翌日の作業に備える。
工程４：この工程は、山羊による刈込みの結果を管理する工程である。
【００４９】
管理項目としては、少なくとも刈込んだ面積と、刈込み後に残った刈り株における地際からの高さの計測が選定される。
前者を把握することにより、管理予定地全体の刈込みに要する日数を予測することができ、また山羊の実際の採食能力を把握して計画と合致させるように山羊の頭数などを変えて、山羊の採食能力を再編成することができる。
【００５０】
後者の計測により、刈込んだ後の管理予定地における今後の状態を予測することができ、それに応じて管理予定地の利用方法などを事前に計画することができる。
また、播種を行った場合は、経時的に、発芽状態、成育状態を観察することも工程４の管理項目になる。
【実施例１】
【００５１】
指定された管理予定地は、勾配１：２．０の礫質地盤で、群落高さが約１．７ｍのススキ草原型の植生区分であった。ここに植生しているのは、ブッシュ状のススキ群落で、ここにハギ類のイバラなどの低灌木とクズなどのつる性植物が混生していた。
この管理予定地に対し、日本ザーネン種で体重４４〜５８ｋｇの山羊（３齢の青年）を用い、本発明の山羊の拘束移動装置を設置して、１日８時間の刈込み作業を行った。
【００５２】
山羊の採食量は、２２〜６０ｍ２／日／頭であった。また残った刈り株において、地際からの群落高さは１５〜４０ｃｍであった。
刈込み作業が終了してから３ヶ月経過後における植生を観測したところ、萌芽は再生していたが、刈込みを継続すれば生存株は存在せず、また地下茎植物は再生するという状態になっていた。
【実施例２】
【００５３】
指定された管理予定地は勾配１：２．０の盛土面で、群落高さが約０．８ｍの野草型の植生区分であった。ここは、チガヤを含む野草の刈込み跡地を放置した状態になっていた。
ここに、本発明の山羊の拘束移動装置を設置し、実施例１で用いた山羊と同種の山羊を用いて１日８時間の刈込み作業を行った。
【００５４】
山羊の採食量は、１５０〜３００ｍ２／日／頭であり、残った刈り株における地際からの群落高さは３〜８ｃｍであった。
そして、刈込み地の３ヶ月後の植生状態では、地下茎繁殖植物の萌芽が促進され、多種多様性の植物が発現していた。
【実施例３】
【００５５】
指定された管理予定地は、勾配１：２．０の芝生地で、群落高さが約０．４ｍの芝草原型の植生区分であった。
ここはノシバ張芝工事後３年程度経過していて、その植生状態は、ノシバを主体とし、草木雑草が優占した植生状態で、外来種の多年性雑草が混生した状態になっていた。
ここに本発明の山羊の拘束移動装置を設置し、実施例１と同種の山羊を用いて１日８時間の刈込み作業を行った。
【００５６】
山羊の採食量は２００〜２７０ｍ２／日／頭であり、残った刈り株における地際からの群落高さは、約５ｃｍであった。
そして、刈込み地の３ヶ月後の植生状態は、当初のノシバ面になっていて、雑草の混生は認められなかった。
【産業上の利用可能性】
【００５７】
本発明では、山羊を用いて管理予定地の刈込み作業を行うので、従来の機械刈込み作業に比べて安全であり、また騒音、粉塵、土煙なども発生しない。
そして本発明は、山羊が植生を採食することで刈込み作業を進めているので、刈込み後の管理予定地に従来のような刈り草は残らず、したがって刈り草の焼却処理は不要となり、それに伴う刈り草の集積作業や運搬作業も不要となり、管理作業における負担軽減に資する。
【００５８】
そして、管理予定地の地形に起伏があっても、そこの植生を山羊は一定の高さをのこして採食するので、刈込み後の管理予定地は芝生型の草地状態になる。また管理予定地に背丈の高い灌木類などが混生していても、山羊は選好的にそれらを採食して、背丈の低い芝類や野草類などが傾向的に残るので、刈込み後の管理予定地は、やはり芝生型の草地になる。
【００５９】
したがって、本発明は管理予定地をノシバなどの芝型草地や在来種の野草型草地に管理する方法として有用である。とくに、健全な芝の維持と毛根密度の確保が要求される河川堤防、危険で礫の飛数が禁止される道路緑地帯、子供達が遊ぶ公園の緑地、学校の緑地、各地に散在する遊休地、住宅地に隣接する緑地などの刈込み管理法として有用である。また、本発明では固定した牧柵は不要である。
【図面の簡単な説明】
【００６０】
【図１】管理予定地が河川堤防である場合に、そこに山羊の拘束移動装置の１例を設置した状態を示す平面図である。
【図２】河川堤防の断面図である。
【図３】山羊ガイドラインを敷設するときに用いるワイヤガイド手段の１例を示す斜視図である。
【図４】別の山羊の拘束移動装置を示す平面図である。
【図５】更に別の山羊の拘束移動手段を示す平面図である。
【符号の説明】
【００６１】
Ａ  管理予定地
Ａ１，Ａ２  山羊が採食可能な円領域
１  山羊ガイドライン
１ａ  ワイヤ
２  リング体
３  ロープ
４  首輪
５  山羊
６  ワイヤガイド手段
６ａ  アンカーピン
６ｂ  ベアリング構造
６ｃ  樹脂カバー
６ｄ  間隙
７  小屋
８  杭
【図１】
2008086270.tif 000003
【図２】
2008086270.tif 000004
【図３】
2008086270.tif 000005
【図４】
2008086270.tif 000006
【図５】
2008086270.tif 000007